(57)【要約】      （修正有）【課題】機器通信の時の接続速度、接続成功率、通信の安全性を向上させる通信方法、装置及び電子機器を提供する。【解決手段】方法は、第１設備と第２設備がブルートゥース（登録商標）接続を確立することと、第１設備と第２設備が認証処理を行い、認証結果を得ることと、認証結果が認証に成功したことであると、第１設備と第２設備が音声に基づくデータインタラクションを行うことと、を含む。【選択図】図２
2020109966.tif 000002
【特許請求の範囲】
【請求項１】
通信方法であって、
第１機器と第２機器が通信接続を確立することと、
前記第１機器と前記第２機器が認証処理を行い、認証結果を得ることと、
前記認証結果が認証に成功したことである場合、前記第１機器と前記第２機器が音声に基づくデータインタラクションを行うこととを含むことを特徴とする通信方法。
【請求項２】
前記第１機器及び／又は前記第２機器が第１の条件を満たすとき、前記第１機器は前記第２機器と前記通信接続を切断することをさらに含み、
前記第１の条件は、電源をオフすること、ブルートゥース（登録商標）のオフ状態に切り替えること、ユーザーが入力したオフ命令を受信することの中の少なくとも１つを含むことを特徴とする請求項１に記載の通信方法。
【請求項３】
前記第１機器と第２機器が通信接続を確立することは、
前記第１機器が前記第２機器がブロードキャストしたメーカー識別子情報及び前記第２機器がサポートするプロトコルバージョン識別子に基づいて、前記第２機器と通信接続を確立することを含むことを特徴とする請求項１又は請求項２に記載の通信方法。
【請求項４】
前記通信接続は無線周波数通信ＲＦＣＯＭＭリンク上に確立されることを特徴とする請求項３に記載の通信方法。
【請求項５】
前記第１機器はインターネットに接続する能力を有し、前記第２機器は音声受信能力又は音声再生能力を有することを特徴とする請求項１〜４のいずれか一項に記載の通信方法。
【請求項６】
前記第１機器と前記第２機器が認証処理を行い、認証結果を得る前に、前記通信方法は、
前記第１機器がクラウドのサーバーと通信接続を確立することをさらに含み、
前記第１機器と前記第２機器が認証処理を行い、認証結果を得ることは、
前記第１機器が前記サーバーを介して前記第２機器と認証処理を行い、認証結果を得ることを含むことを特徴とする請求項１〜５のいずれか一項に記載の通信方法。
【請求項７】
前記通信接続はブルートゥース（登録商標）接続であることを特徴とする請求項１に記載の通信方法。
【請求項８】
通信装置であって、第１機器に適用され、
第２機器とブルートゥース（登録商標）接続を確立するための第１の接続モジュールと、
前記第２機器と認証処理を行い、認証結果を得るための認証モジュールと、
前記認証結果が認証に成功したことである場合、前記第２機器と音声に基づくデータインタラクションを行うためのインタラクションモジュールとを含むことを特徴とする通信装置。
【請求項９】
前記第１機器及び／又は前記第２機器が第１の条件を満たすときに、前記第２機器との通信接続を切断するために切断モジュールさらに含み、
前記第１の条件は、電源をオフすることと、ブルートゥース（登録商標）のオフ状態に切り替えることと、ユーザーが入力したオフ命令を受信することの中の少なくとも１つを含むことを特徴とする請求項８に記載の通信装置。
【請求項１０】
前記第１接続モジュールは、前記第２機器がブロードキャストしたメーカー識別子情報及び前記第２機器がサポートするプロトコルバージョン識別子に基づいて、前記第２機器と通信接続を確立するための接続ユニットを含むことを特徴とする請求項８又は９に記載の通信装置。
【請求項１１】
前記通信接続は無線周波数通信ＲＦＣＯＭＭリンク上に確立されることを特徴とする請求項１０に記載の通信装置。
【請求項１２】
前記第１機器はインターネットに接続する能力を有し、前記第２機器は音声受信能力又は音声再生能力を有することを特徴とする請求項８〜１１のいずれか一項に記載の通信装置。
【請求項１３】
クラウドのサーバーと通信接続を確立するための第２の接続モジュールをさらに含み、
前記認証モジュールは、
前記サーバーを介して前記第２機器と認証処理を行い、認証結果を得るための認証ユニットを含むことを特徴とする請求項８〜１２のいずれか一項に記載の通信装置。
【請求項１４】
前記通信接続はブルートゥース（登録商標）接続であることを特徴とする請求項８に記載の通信装置。
【請求項１５】
電子機器であって、
プログラム命令を記憶するためのメモリと、
前記メモリにおけるプログラム命令を呼び出して実行し、請求項１〜６のいずれか一項に記載された通信方法ステップを実行するためのプロセッサとを含むことを特徴とする電子機器。
【請求項１６】
可読記憶媒体であって、
前記可読記憶媒体は、請求項１〜６のいずれか一項に記載された通信方法を実行するためのコンピュータプログラムが記憶されていることを特徴とする可読記憶媒体。
【発明の詳細な説明】
【技術分野】
【０００１】
本発明の実施例は、通信技術に関し、特に通信方法、通信装置、電子機器及びコンピュータ可読記憶媒体に関する。
【背景技術】
【０００２】
無線通信分野では、長距離の無線通信をサポートすることも、機器の間の短距離通信をサポートすることも必要である。短距離通信は、例えば、１つのビル又は１つの家庭内における機器の間のデータ通信であってもよい。機器の間では、特定の通信プロトコルに基づいてデータインタラクションを完了する必要がある。そのうち、ブルートゥース（登録商標）プロトコルは、多くの機器がサポートする通信プロトコルである。
【０００３】
従来の技術において、機器の間でブルートゥース（登録商標）プロトコルに基づいて通信する場合、主にスキャン（メイン機器）、ブロードキャスト（スレーブ機器）、通信接続の確立、及びデータインタラクションプロセスを経る。
【０００４】
しかしながら、従来のブルートゥース（登録商標）プロトコルに基づいて短距離通信を行う方法は、接続速度、接続成功率、及び通信の安全性において不足がある。
【発明の概要】
【発明が解決しようとする課題】
【０００５】
本発明の実施例は、通信方法、装置、及び電子機器を提供し、その技術的解決手段は以下のようである。
【課題を解決するための手段】
【０００６】
本発明の実施例の第１の態様で提供する通信方法は、第１機器と第２機器が通信接続を確立することと、前記第１機器と前記第２機器が認証処理を行い、認証結果を得ることと、前記認証結果が認証に成功したことである場合、前記第１機器と前記第２機器が音声に基づくデータインタラクションを行うこととを含む。
【０００７】
さらに、前記第１機器及び／又は前記第２機器が第１の条件を満たすとき、前記第１機器は前記第２機器と前記通信接続を切断することをさらに含み、前記第１の条件は、電源をオフすること、ブルートゥース（登録商標）のオフ状態に切り替えること、ユーザーが入力したオフ命令を受信することの中の少なくとも１つを含んでもよい。
【０００８】
さらに、前記第１機器と第２機器が通信接続を確立することは、前記第１機器が前記第２機器がブロードキャストしたメーカー識別子情報及び前記第２機器がサポートするプロトコルバージョン識別子に基づいて、前記第２機器と通信接続を確立することを含んでもよい。
【０００９】
さらに、前記通信接続は無線周波数通信ＲＦＣＯＭＭリンク上に確立されてもよい。
【００１０】
さらに、前記第１機器はインターネットに接続する能力を有し、前記第２機器は音声受信能力又は音声再生能力を有してもよい。
【００１１】
さらに、前記第１機器と前記第２機器が認証処理を行い、認証結果を得る前に、前記第１機器がクラウドのサーバーと通信接続を確立することをさらに含み、前記通信方法は、前記第１機器と前記第２機器が認証処理を行い、認証結果を得ることは、前記第１機器が前記サーバーを介して前記第２機器と認証処理を行い、認証結果を得ることを含んでもよい。
【００１２】
本発明の実施例の第２の態様で提供する通信装置は、第１機器に適用され、前記通信装置は、第２機器と通信接続を確立するための第１の接続モジュールと、前記第２機器と認証処理を行い、認証結果を得るための認証モジュールと、前記認証結果が認証に成功したことである場合、前記第２機器と音声に基づくデータインタラクションを行うためのインタラクションモジュールとを含む。
【００１３】
さらに、前記第１機器及び／又は前記第２機器が第１の条件を満たすときに、前記第２機器との前記通信接続を切断するために切断モジュールをさらに含み、前記第１の条件は、電源をオフすることと、ブルートゥース（登録商標）のオフ状態に切り替えることと、ユーザーが入力したオフ命令を受信することの中の少なくとも１つを含んでもよい。
【００１４】
さらに、前記第１接続モジュールは、前記第２機器がブロードキャストしたメーカー識別子情報及び前記第２機器がサポートするプロトコルバージョン識別子に基づいて、前記第２機器と通信接続を確立するための接続ユニットを含んでもよい。
【００１５】
さらに、前記通信接続は無線周波数通信ＲＦＣＯＭＭリンク上に確立されてもよい。
【００１６】
さらに、前記第１機器はインターネットに接続する能力を有し、前記第２機器は音声受信能力又は音声再生能力を有してもよい。
【００１７】
さらに、クラウドのサーバーと通信接続を確立するための第２の接続モジュールをさらに含み、前記認証モジュールは、前記サーバーを介して前記第２機器と認証処理を行い、認証結果を得るための認証ユニットを含んでもよい。
【００１８】
本発明の実施例の第３の態様で提供する電子機器は、プログラム命令を記憶するためのメモリと、前記メモリにおけるプログラム命令を呼び出して実行し、上記の第一の態様の実施例における方法ステップを実行するためのプロセッサとを含む。
【００１９】
本発明の実施例の第４の態様で提供するコンピュータ可読記憶媒体は、上記の第一の態様の実施例における方法を実行するためのコンピュータプログラムが記憶されている。
【発明の効果】
【００２０】
本発明の実施例によって提供される通信方法、通信装置、電子機器及びコンピュータ可読記憶媒体は、第１機器機器を介して第２機器と認証処理を行い、認証が成功した後にのみ音声に基づくデータインタラクションを行うことができ、データインタラクションのセキュリティを大幅に向上させる。また、第１機器は、第２機器のブロードキャスト情報の特定のパラメータを介して通信接続を確立し、同様の通信接続速度と接続成功率を大幅に向上させる。
【図面の簡単な説明】
【００２１】
本発明又は従来の技術における技術内容をより明確に説明するために、以下では実施例又は従来の技術説明において必要とされる図面を簡単に紹介する。以下の説明における図面は本発明のいくつかの実施例であり、当業者にとっては、創造的な労働を行わない前提で、これらの図面によって他の図面を得ることもできる。
【図１】本発明の実施例に係る通信方法のシステム構造図である。
【図２】本発明の実施例によって提供される通信方法の実施例１のフローチャートである。
【図３】本発明の実施例によって提供される通信方法の実施例２のフローチャートである。
【図４】本発明の実施例による通信方法のインタラクションフローチャートである。
【図５】本発明の実施例によって提供される通信装置のモジュール構成図である。
【図６】本発明の実施例によって提供される通信装置のモジュール構成図である。
【図７】本発明の実施例によって提供される通信装置のモジュール構成図である。
【図８】本発明の実施例によって提供される通信装置のモジュール構成図である。
【図９】本発明の実施例によって提供される通信装置のモジュール構成図である。
【図１０】本発明の実施例によって提供される電子機器のエンティティブロック図である。
【発明を実施するための形態】
【００２２】
本発明の目的、技術内容及び利点をより明確にするために、以下に、本発明の実施例における図面に合わせて、本発明の実施例における技術内容を明確かつ完全に説明する。当然ながら、説明する実施例は本発明の一部の実施例であり、全ての実施例ではない。本発明の実施例に基づいて、当業者により創造的な労働がなされていない前提で取得される他のすべての実施例は、本発明の保護の範囲に属する。
【００２３】
従来の通信過程では、端末機器とブルートゥース（登録商標）外部機器は、通信接続を確立する際の接続速度と接続成功率はいずれも不足がある。また、端末機器とブルートゥース（登録商標）外部機器で通信接続を確立した後、データインタラクション過程では、端末機器、ブルートゥース（登録商標）外部機器とサーバーの間で認証処理を実行しないため、安全性にも不足がある。
【００２４】
本発明の実施例は、認証処理プロセスを追加することにより、通信の安全性を大幅に向上させ、また、通信接続を確立する接続速度と接続成功率も大きく向上させる。
【００２５】
図１は本発明の実施例に係る通信方法のシステム構造図である。図１に示すように、当該方法は端末機器、ブルートゥース（登録商標）外部機器及びクラウドのサーバーに関する方法である。当該端末機器は、インターネットに接続する能力を有しており、例えば、当該端末機器はインターネット上のサーバーなどの機器にデータを取得する要求を送信し、インターネット上の機器から送信されたデータを受信することができる。当該端末機器は、例えば、携帯電話、タブレットコンピュータなどであってもよい。当該ブルートゥース（登録商標）外部機器は、インターネットに接続する能力を持たなくてもいいし、インターネットに接続する能力を備えてもいいし、同時に音声受信能力又は音声再生能力を備えてもよい。当該ブルートゥース（登録商標）外部機器は、例えば、マイクロフォンを内蔵したスマートスピーカー、スマートカーホルダーなどであってもよい。前記端末機器とブルートゥース（登録商標）外部機器はいずれも、ブルートゥース（登録商標）プロトコルをサポートし、ブルートゥース（登録商標）に基づいて音声データのインタラクションを行なうことができる。前記サーバーは、インターネットにおいて、端末機器に要求したデータを提供することができるサーバーであってもよい。
【００２６】
上述のブルートゥース（登録商標）外部機器がスマート車載ホルダである例を挙げると、１つの例示的な適用シーンでは、ユーザーは車両内にあり、当該車両内に上述のスマート車載ホルダを設置するとともに、ユーザーが携帯した携帯電話を車両内に配置する場合、ユーザーは、特定の操作により携帯電話をトリガして周辺のブルートゥース（登録商標）外部機器をスキャンするようにし、本発明の実施例によって提供される方法でスキャンされたスマートカーホルダーと通信接続し、認証処理を行うことができる。認証が成功した後、ユーザーは、スマートカーホルダに特定の起動ワードを発声して、当該スマートカーホルダを起動させてよく、スマートカーホルダが起動された後に、ユーザーはスマートカーホルダに音声コマンドを発声することができる。例えば、「明日の天気を確認してください」に対して、当該音声コマンドがスマートカーホルダによって端末機器に送信され、端末機器は当該音声コマンドを解析し、データ取得要求に転換し、インターネット上のサーバー機器に送信し、サーバーから返されたデータを受信した後、端末機器はスマートカーホルダにデータを戻し、スマートカーホルダでユーザーに再生する。
【００２７】
図２は本発明の実施例によって提供される通信方法の実施例１のフローチャートである。当該方法の実行主体は第１機器であり、第１機器は上述の図１に示す端末機器であってよい。図２に示すように、当該方法は、ステップＳ２０１〜Ｓ２０３を含む。
【００２８】
ステップＳ２０１では、第１機器が第２機器とブルートゥース（登録商標）接続を確立する。
【００２９】
選択可能に、本発明の実施例では、第１機器はインターネット接続能力を有し、例えば前記図１に示す端末機器とすることができる。第２機器は音声受信能力又は音声再生能力を有し、例えば前記図１に示すブルートゥース（登録商標）外部機器とすることができ、第２機器はインターネット接続能力を備えなくてもよい。
【００３０】
選択可能に、本ステップの前に、第１機器は、ユーザーの操作に基づいて、第１機器の周辺に位置するプリセット範囲内にある機器をブルートゥース（登録商標）スキャンするためのスキャンメッセージをトリガし、外部にブロードキャストしてもよい。ここで、ユーザーの操作は、ユーザーが端末機器上のアプリケーション（Ａｐｐｌｉｃａｔｉｏｎ、略称ＡＰＰ）を開くか、又はユーザーがＡＰＰページ上のプリセットコントローラをクリックすることであってよい。
【００３１】
第１機器がスキャンメッセージをブロードキャストした後、第２機器はスキャンメッセージを受信すると、第２機器は、自身の識別子情報を含むメッセージを外部にブロードキャストしてもよく、第１機器は、当該識別子情報に基づいて第２機器とブルートゥース（登録商標）接続を確立してもよい。
【００３２】
ステップＳ２０２では、第１機器は、第２機器と認証処理を行い、認証結果を得る。
【００３３】
ステップＳ２０３では、上述の認証結果が認証に成功すると、第１機器は第２機器と音声に基づくデータインタラクションを行う。
【００３４】
選択可能に、通信接続が確立された後、第１機器は、ユーザー操作（例えば、ユーザーがＡＰＰインターフェースに表示された第２機器の名称をクリックする）のトリガによって、第２機器に対してペアリング要求を開始してもよい。第２機器はペアリング応答に第２機器の署名情報を携帯させ、第１機器は当該署名情報に基づいてサーバ−からサーバー側の署名情報を取得する。それにより、第２機器とインタラクションする前に、第１機器は、まずサーバ−側の署名情報を第２機器に送信する。第２機器は、第１機器側の署名情報とサーバ−側の署名情報に対して署名比較を行って認証結果を得る。比較の結果、署名情報が一致すると、第１機器と第２機器との認証が成功し、第２機器から第１機器への音声データ送信ができる。第１機器はさらに、サーバ−側と認証処理を行い、サーバー側の認証結果も認証に成功した場合、サーバーは、音声データが要求した結果データを第１機器に提供し、またその結果を第１機器から第２機器に戻る。
【００３５】
本実施例では、第１機器と第２機器との認証処理により、認証が成功した後にのみ音声に基づくデータインタラクションが可能となり、データインタラクションの安全性を大幅に向上させる。また、第１機器は、第２機器のブロードキャスト情報における特定のパラメータを介して通信接続を確立し、それにより通信接続速度と接続成功率を同様に大幅に向上させる。
【００３６】
１つの選択可能の具体的な実施例において、第１機器は、第２機器によってブロードキャストされるメーカー識別子情報及び第２機器がサポートするプロトコルバージョン識別子に基づいて、第２機器と通信接続を確立することができる。
以下具体的に説明する。
【００３７】
図３は本発明の実施例によって提供される通信方法の実施例２のフローチャートである。図３の示すように、第１機器によるスキャン及び第２機器との通信接続の確立のプロセスはステップＳ３０１〜Ｓ３０７を含む。
【００３８】
ステップＳ３０１では、第１機器がスキャンメッセージをブロードキャストし、当該スキャンメッセージは第１機器の周辺のプリセット範囲内にある機器をブルートゥース（登録商標）スキャンすることに使用される。
【００３９】
１つの例としては、ユーザーが第１機器のＡＰＰを開くか、ＡＰＰページ上のプリセットコントローラーをクリックすると、第１機器がトリガされてスキャンメッセージをブロードキャストすることができる。
【００４０】
ステップＳ３０２では、第２機器は、第２機器の識別子情報を示す第１メッセージをブロードキャストする。
【００４１】
選択可能に、第２機器の識別子情報は、第２機器によってブロードキャストされたメーカー識別子情報及び第２機器がサポートするプロトコルバージョン識別子を含むことができる。
【００４２】
なお、第２機器のメーカー識別子は、当該第２機器を製造するメーカーＩＤであってもよく、当該メーカーＩＤは当該メーカーに予め割り当てられた固定ＩＤであっても良い。の第２機器がサポートするプロトコルバージョンの識別子は、ブルートゥース（登録商標）に基づく企業によって定められたプロトコルのバージョンの番号であっても良い。第２機器は当該プロトコルをサポートすることができる。
【００４３】
また、第２機器の識別子情報は、さらに第２機器のメディアアクセス制御（Ｍｅｄｉａ Ａｃｃｅｓｓ Ｃｏｎｔｒｏｌ、略称ＭＡＣ）アドレスを含んでもよい。
【００４４】
ステップＳ３０３では、第１機器は、第１メッセージに第２機器の識別情報を携帯していることを確定する。
【００４５】
選択可能に、第１機器は、第１メッセージを受信した後、第１メッセージを解析し、それにより第１メッセージに第２機器の識別子情報が携帯されているかどうかを確定する。
【００４６】
ステップＳ３０４では、第１機器は、ＲＦＣＯＭＭリンク上で第２機器に接続確立要求を送信する。
【００４７】
第１機器によって第２機器のブロードキャスト情報に第２機器の識別子情報が携帯されていると確定された場合、第１機器は、無線周波数通信（Ｒａｄｉｏ Ｆｒｅｑｕｅｎｃｙ ｃｏｍｍｕｎｉｃａｔｉｏｎ、略称ＲＦＣＯＭＭ）リンク上で第２機器と直接に通信接続を確立する。
【００４８】
ステップＳ３０５では、第２機器は、第１機器にサポートするプロトコルバージョンをフィードバックする。
【００４９】
ステップＳ３０６では、第１機器は、当該プロトコルバージョンをサポートすることを確認し、第２機器に対して機器情報取得要求を送信する。
【００５０】
ステップＳ３０７では、第２機器は、第１機器に機器情報を送信する。
【００５１】
従来の処理方法では、第１機器は、まず第２機器と低電力ブルートゥース（登録商標）（Ｂｌｏｏｔｈ Ｌｏｗ Ｐｏｗｅｒ、略称ＢＬＥ）リンク上で通信接続を確立する必要があるため、第２機器がＲＦＣＯＭＭリンク伝送をサポートすることを確認した後、ＢＬＥ接続を切断し、ＲＦＣＯＭＭ接続を再確立するが、本発明の実施例では、第１機器が、第２機器がブロードキャストしたメーカー識別子情報と第２機器がサポートするプロトコルバージョン識別子に基づいて、ＲＦＣＯＭＭリンク上で直接に接続を確立することができるため、接続速度と接続成功率の両方を大幅に向上させる。
【００５２】
もう１つの実施例では、第１機器及び／又は第２機器が第１の条件を満たす場合、第１機器と第２機器は通信接続を切断してもよい。ここで、第１の条件は少なくとも、電源をオフすること、ブルートゥース（登録商標）オフ状態に切り替えること、ユーザーが入力した切断命令を受信することのうちの少なくとも１つを含む。
【００５３】
例示として、第１機器のシステム構成画面でユーザーが第１機器のブルートゥース（登録商標）スイッチをオフした場合、第１機器はブルートゥース（登録商標）オフ状態に切り替わり、第１機器が当該状態に切り替わる場合、第１機器は第２機器に切断要求を送信して、第２機器との通信接続を切断することができる。
【００５４】
例示として、ユーザーが第１機器のＡＰＰインターフェースに表示された第２機器に対応する切断ボタンをクリックした場合、第１機器は、ユーザーが入力した第２機器に対する切断命令を受信したと確定し、第１機器はさらに切断要求を第２機器に送信し、それにより第２機器との通信接続を切断することができる。
【００５５】
もう１つの実施例では、第１機器は、第２機器と認証処理を行い、認証結果を得る前に、クラウドのサーバーと通信接続を確立することもできる。
【００５６】
具体的には、前述のように、通信接続が確立された後、第１機器は、ユーザー操作（例えば、ユーザーがＡＰＰインターフェースに表示された第２機器の名称をクリックする）のトリガで、第２機器にペアリング要求を送信することができ、第２機器はペアリング応答に第２機器の署名情報を携帯させ、その後、第２機器はサーバーからサーバー側の署名情報を取得する必要がある。したがって、その前に、第１機器は、まずサーバーと通信接続を確立してもよい。
【００５７】
第１機器とサーバーとが通信接続を確立した後、第１機器はサーバーを介して第２機器と認証処理を行い、認証結果を得ることができる。
【００５８】
具体的には、第２機器署名を含む情報を受信した後、第１機器は、署名検証要求をサーバーに送信し、要求に第２機器の署名情報を携帯し、サーバーはこれに基づいてサーバーの署名情報を生成し、第１機器に送信することができる。第１機器は、第２機器にサーバー側の署名情報を送信し、第２機器は、第１機器側の署名情報とサーバー側の署名情報とを比較し、認証結果を得る。比較の結果、署名情報が一致する場合、第１機器と第２機器が認証に成功し、第２機器は第１機器に音声データを送信することができる。さらに、第１機器は、サーバー側と認証処理を行うことができる。サーバー側の認証結果も認証に成功した場合、サーバーは、音声データの要求した結果データを第１機器に提供し、第１機器はまた第２機器に当該結果データを返す。
【００５９】
図４は、本発明の実施例による通信方法のインタラクションフロー図である。図４に示すように、第１機器と第２機器とサーバーとの間の通信プロセスはステップＳ４０１〜Ｓ４１１を含む。
【００６０】
ステップＳ４０１では、第１機器がスキャンメッセージをブロードキャストし、当該スキャンメッセージは第１機器周辺のプリセット範囲内にある機器をブルートゥース（登録商標）スキャンすることに使用される。
【００６１】
ステップＳ４０２では、第２機器は、第２機器の識別子情報を示すための第１メッセージをブロードキャストする。
【００６２】
ステップＳ４０３では、第１機器は、第１メッセージに従って、ＲＦＣＯＭＭリンク上で第２機器に接続要求の確立を開始する。
【００６３】
ステップＳ４０４では、第２機器は、第１機器にサポートするプロトコルバージョンをフィードバックする。
【００６４】
ステップＳ４０５では、第１機器は、当該プロトコルバージョンをサポートすることを確認し、第２機器に対して機器情報取得要求を送信する。
【００６５】
ステップＳ４０６では、第２機器は、機器情報を第１機器に送信する。
【００６６】
ステップＳ４０７では、第１機器は、第２機器と認証処理を行う。
【００６７】
ステップＳ４０８では、第１機器は、第２機器と音声に基づくデータインタラクションを行う。
【００６８】
ステップＳ４０９では、第１機器は、第２機器との通信接続を切断する必要があると確定する。
【００６９】
ステップＳ４１０では、第１機器は、接続切断要求を第２機器に送信する。
【００７０】
ステップＳ４１１では、第２機器は、接続切断応答を第１機器に返信する。
【００７１】
上記の各ステップの具体的な実行プロセスは、前述の実施例を参照することができ、ここでは説明を省略する。
【００７２】
図５は、本発明の実施例によって提供される通信装置のブロックモジュール構成図であり、第１機器に適用され、図５に示すように、当該装置は、第２機器とブルートゥース（登録商標）接続を確立するための第１接続モジュール５０１と、第２機器と認証処理を行い、認証結果を得るための認証モジュール５０２と、認証結果が認証に成功したことである場合、音声に基づくデータインタラクションを第２機器と行うためのインタラクションモジュール５０３と、を含む。
【００７３】
当該装置は、上記の方法の実施例を実現するために用いられ、原理及び技術的効果が類似しているため、ここでは説明を省略する。
【００７４】
図６は、本発明の実施例によって提供される通信装置のモジュール構成図である。図６に示すように、当該装置はさらに、第１機器及び／又は第２機器が第１の条件を満たすときに、第２機器と通信接続を切断するための切断モジュール５０４を含む。
【００７５】
第１の条件は、電源をオフすること、ブルートゥース（登録商標）オフ状態に切り替えること、ユーザーが入力した切断命令を受信することのうちの少なくとも１つを含む。
【００７６】
図７は、本発明の実施例によって提供される通信装置のモジュール構成図である。図７に示すように、第１接続モジュール５０１は、第２機器がブロードキャストしたメーカー識別子情報及び第２機器がサポートするプロトコルバージョン識別子に基づいて、第２機器と通信接続を確立するための接続ユニット５０１１を含む。
【００７７】
もう１つの実施例では、通信接続は無線周波数通信ＲＦＣＯＭＭリンク上で確立される。
【００７８】
もう１つの実施例では、第１機器は、インターネットに接続する能力を有し、第２機器は音声受信能力又は音声再生能力を有する。
【００７９】
図８は、本発明の実施形態によって提供される通信装置のモジュール構成図である。図８に示すように、さらに、クラウドのサーバーと通信接続を確立するための第２接続モジュール５０５を含む。
【００８０】
図９は、本発明の実施例によって提供される通信装置のモジュール構成図である。図９に示すように、認証モジュール５０２は、サーバーを介して第２機器と認証処理を行い、認証結果を得るための認証ユニット５０２１を含む。
【００８１】
図１０は、本発明の実施例によって提供される電子機器のエンティティブロック図である。図１０のように、当該電子機器１０００は、プログラム命令を記憶するためのメモリ１００２と、メモリ１００２内のプログラム命令を呼び出して実行し、上述の方法の方法実施例における第１機器で実行される方法ステップを実行するためのプロセッサ１００１と、を含む。
【００８２】
当業者であれば、上述した方法の実施例の全て又は一部を実現するステップは、プログラム命令に関連するハードウェアによって達成されてもよいことを理解することができる。前述のプログラムは、コンピュータ可読記憶媒体に記憶されてもよい。当該プログラムが実行される時、上述した各方法の実施例を含むステップを実行する。上述した記憶媒体は、ＲＯＭ、ＲＡＭ、磁気ディスク又は光ディスクなどの様々なプログラムコードを記憶することができる媒体を含む。
【００８３】
最後に、以上説明した各実施例は、本発明の技術的な態様を説明するためにのみ使用され、本発明を制限するものではない。前述の各実施例を参照して本発明を詳細に説明したが、当業者は、上述の各実施例に記載された技術的な態様を修正したり、その中の一部又は全部の技術的特徴を置換したりすることができると理解すべきである。これらの修正又は置換は、本発明の各実施例の技術内容の範囲から逸脱させるものではない。
【図１】
2020109966.tif 000003
【図２】
2020109966.tif 000004
【図３】
2020109966.tif 000005
【図４】
2020109966.tif 000006
【図５】
2020109966.tif 000007
【図６】
2020109966.tif 000008
【図７】
2020109966.tif 000009
【図８】
2020109966.tif 000010
【図９】
2020109966.tif 000011
【図１０】
2020109966.tif 000012